(57)【要約】【課題】本発明は、ギヤボックス内に水分のような異物が侵入し難くなるとともに、リール本体の前端部の強度を十分に確保できる魚釣用スピニングリールを得ることにある。【解決手段】スピニングリール(1)は、ギヤボックス(7)の前端に位置する前壁(8)から突出する筒部(10)を有するリール本体(2)と、筒部(10)に軸受(20)を介して支持され、筒部(10)を貫通する回転軸筒(19)と、回転軸筒(19)と一体に回転するロータ(26)と、回転軸筒(19)に設けられ、筒部(10)の内側でロータ(26)に追従して回転する逆転防止体(41)と、逆転防止体(41)に係合することでロータ(26)の逆転を制限する係合部材(42)とを備えている。係合部材(42)は、逆転防止体(41)に係合する係合位置と、逆転防止体(41)から離脱する係合解除位置との間で回転軸筒(19)と交差する方向に移動可能に筒部(10)に支持されている。筒部(10)は、係合部材(42)の移動を許容するように切り欠かれた開口部(13)を有している。【選択図】      図４
2008109884.tif 000002
【特許請求の範囲】
【請求項１】
ギヤボックスと、このギヤボックスの前端に位置する前壁から上記ギヤボックスの前方に向けて突出する筒部と、を有するリール本体と、
上記リール本体の筒部に軸受を介して回転自在に支持され、上記筒部を貫通する回転軸筒と、
上記回転軸筒と一体に回転するロータと、
上記回転軸筒に設けられ、上記筒部の内側で上記ロータに追従して回転する逆転防止体と、
上記逆転防止体に係合することで釣糸を巻き取る方向とは逆方向への上記ロータの回転を制限する係合部材と、を備える魚釣用スピニングリールであって、
上記係合部材は、上記逆転防止体に係合する係合位置と、上記逆転防止体から離脱する係合解除位置との間で上記回転軸部と交差する方向に移動可能に上記筒部に支持されるとともに、上記筒部は、上記係合部材の移動を許容するように切り欠かれた開口部を有することを特徴とする魚釣用スピニングリール。
【請求項２】
請求項１の記載において、上記係合部材は、上記回転軸筒と平行な軸部材を介して上記筒部に回動可能に支持されていることを特徴とする魚釣用スピニングリール。
【請求項３】
請求項２の記載において、上記筒部は、上記開口部を間に挟んで向かい合う一対の軸受部を有するとともに、上記係合部材は上記軸受部の間に介在されるボス部を有し、上記軸部材は、上記ボス部を貫通して上記軸受部の間に跨ることを特徴とする魚釣用スピニングリール。
【請求項４】
請求項１の記載において、上記回転軸筒の後端は、上記リール本体の前壁を貫通して上記ギヤボックスに導入されるとともに、上記逆転防止体および上記係合部材は、上記筒部の軸方向に沿う中間部に位置することを特徴とする魚釣用スピニングリール。
【請求項５】
請求項４の記載において、上記開口部は、上記リール本体の前壁から上記筒部の軸方向に離れていることを特徴とする魚釣用スピニングリール。
【発明の詳細な説明】
【技術分野】
【０００１】
本発明は、ロータの逆回転を防ぐストッパー機構を備えた魚釣用スピニングリールに関する。
【背景技術】
【０００２】
魚釣用スピニングリールは、スプールから釣糸が繰り出される時に、ロータが釣糸を巻き取る方向とは逆方向に回転するのを防ぐストッパー機構を装備している。
【０００３】
従来のストッパー機構は、例えば特許文献１に開示されているように、ロータと一体に回転するラチェット車と、このラチェット車に係合するストッパー爪とを備えている。ラチェット車は、ロータに直結された回転軸筒の外周面に固定されて、この回転軸筒と一緒に回転するようになっている。回転軸筒は、リール本体の前壁から突出する筒部を貫通するとともに、この筒部に軸受を介して回転自在に支持されている。ラチェット車は、リール本体の前壁と隣り合うように筒部の内側に位置している。
【０００４】
ストッパー爪は、ラチェット車に係合する爪先と、爪先の反対側に位置するカム受けと、爪先とカム受けとの間に位置するボス部とを有している。ストッパー爪のボス部は、リール本体の前端部にねじを介して支持されている。ストッパー爪の爪先は、筒部の内側でラチェット車と噛み合うとともに、ストッパー爪のカム受けは、リール本体の内側に位置している。
【０００５】
ストッパー爪は、ねじを支点として爪先がラチェット車に噛み合う係合位置と、爪先がラチェット車から離脱する係合解除位置との間で回動可能となっている。ストッパー爪は、釣人がカム受けに接するレバーを操作することで、係合位置および係合解除位置のいずれかに保持される。
【０００６】
この結果、ストッパー爪が係合位置に回動されている限り、ストッパー爪の爪先がラチェット車と噛み合った状態を維持し、これにより回転軸筒ひいてはロータの逆回転が阻止されるようになっている。
【特許文献１】実開昭６２−９１９７４号公報
【発明の開示】
【発明が解決しようとする課題】
【０００７】
特許文献１に開示されたストッパー機構では、ストッパー爪の回動中心となるねじが回転軸筒と直交するように水平に配置されているので、ストッパー爪がリール本体と筒部との間に跨るように回転軸筒の軸方向に延びている。
【０００８】
この結果、リール本体は、その前壁から筒部の周面に至る領域にストッパー爪の回動を許容するように切り欠かれた開口部を有している。この開口部は、筒部の外側からロータで覆われている。
【０００９】
ところで、スピニングリールのリール本体は、ギヤボックスを有している。ギヤボックスは、互いに噛み合う複数のギヤやオシレート機構を収容しており、このギヤボックスの前端に上記開口部を有する前壁が位置している。このため、ストッパー爪の回動を許容する開口部は、ギヤボックスに直接連なっている。
【００１０】
このような従来の構成によると、リール本体の前壁とロータとの間には、僅かな隙間が存在するので、例えば実際に釣りをしている時に、水分や埃のような異物が隙間に入り込むのを避けられない。そのため、隙間に入り込んだ異物がリール本体の前壁を伝わって開口部に導かれるとともに、この開口部からギヤボックス内に侵入するといった不具合が生じてくる。
【００１１】
さらに、例えば釣糸を巻き取る時にロータに大きな負荷が加わったり、あるいは誤ってスピニングリールを釣場に落下させた時に、前壁や筒部を含むリール本体の前端部に衝撃が集中する。このため、筒部からリール本体の前壁に達する大きな開口部が存在する従来の構成では、リール本体の前壁や円筒部が変形したり破損する虞があり、強度的な面で好ましくないものとなる。
【００１２】
本発明の目的は、ギヤボックス内に水分のような異物が侵入し難くなるとともに、リール本体の前端部の強度を十分に確保できる魚釣用スピニングリールを得ることにある。
【課題を解決するための手段】
【００１３】
上記目的を達成するため、本発明の一つの形態に係る魚釣用スピニングリールは、  
ギヤボックスと、このギヤボックスの前端に位置する前壁から上記ギヤボックスの前方に向けて突出する筒部と、を有するリール本体と、  
上記リール本体の筒部に軸受を介して回転自在に支持され、上記筒部を貫通する回転軸筒と、  
上記回転軸筒と一体に回転するロータと、  
上記回転軸筒に設けられ、上記筒部の内側で上記ロータに追従して回転する逆転防止体と、  
上記逆転防止体に係合することで釣糸を巻き取る方向とは逆方向への上記ロータの回転を制限する係合部材と、を備えている。  
上記係合部材は、上記逆転防止体に係合する係合位置と、上記逆転防止体から離脱する係合解除位置との間で上記回転軸部と交差する方向に移動可能に上記筒部に支持されるとともに、上記筒部は、上記係合部材の移動を許容するように切り欠かれた開口部を有することを特徴としている。
【発明の効果】
【００１４】
本発明によれば、開口部がギヤボックスから遠ざかるとともに、この開口部がギヤボックス内に直接開口せずに済む。そのため、たとえ開口部に水分のような異物が入り込んだとしても、この異物は筒部の内側に止まり、異物がギヤボックス内に侵入し難くなる。
【００１５】
加えて、リール本体の前壁から筒部に至る領域に孔が開くことはなく、リール本体の前端部回りの強度を十分に確保できる。したがって、リール本体の前端部に大きな負荷や衝撃が加わっても、これら負荷や衝撃に充分に対抗することができ、リール本体の変形や破損を未然に防止できる。
【発明を実施するための最良の形態】
【００１６】
以下本発明の実施の形態を、図面を参照して説明する。
【００１７】
図１は、魚釣用のスピニングリール１を開示している。スピニングリール１は、リール本体２を備えている。リール本体２は、例えばマグネシウム合金あるいはアルミニウム合金のような金属材料で造られている。リール本体２は、上向きに延びる脚部３を有している。脚部３の上端に釣竿のリールシートに固定される固定片４が形成されている。
【００１８】
リール本体２は、脚部３と一体化されたケース５と、このケース５の左側面にねじ止めされたサイドカバー６とを備えている。ケース５およびサイドカバー６は、互いに協働してギヤボックス７を形成している。
【００１９】
リール本体２は、ギヤボックス７の前端に位置する前壁８を有している。前壁８は円盤状をなしており、この前壁８の中央部に貫通孔９が形成されている。貫通孔９はギヤボックス７の内部に連なっている。
【００２０】
図３および図４に示すように、リール本体２の前壁８に円筒状の筒部１０が一体に形成されている。筒部１０は、前壁８からリール本体２の前方に向けて突出している。筒部１０は、基部１１と軸受支持部１２とを有している。
【００２１】
基部１１は、リール本体２の前壁８と隣り合うとともに、貫通孔９を同軸状に取り囲んでいる。軸受支持部１２は、基部１１の前端に同軸状に連なっている。基部１１と軸受支持部１２との境界部分は、筒部１０の軸方向の略中央部に位置している。
【００２２】
筒部１０の軸方向の略中央部にスリット１３が形成されている。スリット１３は、開口部の一例であって、筒部１０の周壁に開口するように切り欠かれているとともに、筒部１０の上面側において筒部１０の周方向に延びている。スリット１３は、前壁８よりもリール本体２の前方に離間した位置に形成されている。
【００２３】
筒部１０の外周面に一対の軸受部１４ａ，１４ｂとボス部１５が一体に形成されている。一方の軸受部１４ａは、基部１１の外周面上に位置するとともに、筒部１０の軸方向に沿うねじ孔１６を有している。他方の軸受部１４ｂは、軸受支持部１２の外周面上に位置するとともに、筒部１０の軸方向に沿うねじ挿通孔１７を有している。
【００２４】
一方の軸受部１４ａと他方の軸受部１４ｂとは、スリット１３を間に挟んで筒部１０の軸方向に互いに向かい合っている。そのため、ねじ孔１６とねじ挿通孔１７とは、筒部１０の軸方向に同軸状に並んでいる。
【００２５】
ボス部１５は、軸受部１４ｂに対し筒部１０の径方向に沿う反対側に位置している。ボス部１５は、筒部１０の軸方向に沿うねじ孔１８を有している。
【００２６】
図３に示すように、筒部１０の内側に回転軸筒１９が同軸状に挿通されている。回転軸筒１９は、ボール軸受２０を介して筒部１０の軸受支持部１２に回転自在に支持されている。回転軸筒１９は、ボール軸受２０の内輪２０ａが嵌合される第１の嵌合部２１と、第１の嵌合部２１よりも大径な第２の嵌合部２２と、第２の嵌合部２２よりもさらに大径なフランジ部２３とを有している。第１の嵌合部２１、第２の嵌合部２２およびフランジ部２３は、回転軸筒１９の軸方向に並んでいる。
【００２７】
このため、第１の嵌合部２１と第２の嵌合部２２との境界部分には、回転軸筒１９の径方向に沿う第１の段差２４が形成されている。同様に、第２の嵌合部２２とフランジ部２３との境界部分には、回転軸筒１９の径方向に沿う第２の段差２５が形成されている。
【００２８】
ボール軸受２０の外輪２０ｂは、軸受支持部１２の内側に嵌合されて、その全周が軸受支持部１２によって保持されている。この結果、ボール軸受２０を筒部１０に精度よく保持できるとともに、ボール軸受２０の取り付け部分の強度も十分に確保できる。
【００２９】
回転軸筒１９の前端部は、筒部１０の前端からリール本体２の前方に突出している。回転軸筒１９の前端部にロータ２６が取り付けられている。ロータ２６は、回転軸筒１９の第１の嵌合部２１が貫通するロータボス２７を有している。ロータボス２７は、回転軸筒１９の前端にねじ込まれたロックナット２８とボール軸受２０の内輪２０ａとの間で挟み込まれている。これにより、ロータ２６が回転軸筒１９の第１の嵌合部２１の上に固定されて、回転軸筒１９と一体に回転するようになっている。
【００３０】
それと同時に、ボール軸受２０の内輪２０ａが回転軸筒１９の第１の段差２４とロータボス２７との間で挟み込まれ、回転軸筒１９に対するボール軸受２０の位置決めがなされる。
【００３１】
ロータ２６は、リール本体２の筒部１０およびリール本体２の前壁８を同軸状に取り囲んでいる。ロータ２６の後端の内周面と前壁８の外周面との間に、周方向に連続する僅かな隙間２９が形成されている。
【００３２】
ロータ２６は、一対のアーム３０ａ，３０ｂを有している。アーム３０ａ，３０ｂは、ロータ２６の後端からリール本体２の前方に向けて延びている。これらアーム３０ａ，３０ｂの前端の間に釣糸案内装置３１が取り付けられている。
【００３３】
図１に示すように、回転軸筒１９の後端部は、貫通孔９を通じてギヤボックス７の内部に導かれている。回転軸筒１９の後端部にピニオンギヤ３２が形成されている。ピニオンギヤ３２は、ギヤボックス７の前端に位置している。
【００３４】
回転軸筒１９の内側にスプール軸３３が同軸状に挿通されている。スプール軸３３は、軸方向に直線的に往復動可能にリール本体２のケース５に支持されている。スプール軸３３の前部は、ロータ２６の前方に突出している。スプール軸３３の後部は、ピニオンギヤ３２を貫通してギヤボックス７の内部に導かれている。
【００３５】
スプール軸３３の前部にスプール３４が固定されている。スプール３４は、釣糸案内装置３１によって案内された釣糸を巻き付ける巻胴部３５を有するとともに、スプール軸３３と一緒に軸方向に直線的に往復動が可能となっている。
【００３６】
図１に示すように、ギヤボックス７の内部にドライブギヤ３６が収容されている。ドライブギヤ３６は、リール本体２の側方に位置するハンドル３７と一緒に回転するとともに、ギヤボックス７の内部でピニオンギヤ３２と噛み合っている。釣人がハンドル３７を手で回すと、ドライブギヤ３８およびピニオンギヤ３２を介して回転軸筒１９が回転する。これにより、回転軸筒１９に直結されたロータ２６が釣糸を巻き取る方向に回転する。
【００３７】
リール本体２のギヤボックス７の内部にオシレート機構３８が収容されている。オシレート機構３８は、ハンドル３７の回転運動を往復直線運動に変換してスプール軸３３に伝達する。そのため、ハンドル３７の操作によりロータ２６が回転すると、これに同期してスプール３４がスプール軸３３の軸方向に直線的に往復動するようになっている。
【００３８】
図１、図３および図４に示すように、スピニングリール１は、スプール３４から釣糸が繰り出される時に、ロータ２６が釣糸を巻き取る方向とは逆方向に回転するのを防ぐストッパー機構４０を装備している。ストッパー機構４０は、ラチェット車４１と、ストッパー爪４２とを備えている。
【００３９】
ラチェット車４１は、逆転防止体の一例であって、その外周部に複数の係合歯４３を有している。係合歯４３は、ラチェット車４１の周方向に間隔を存して並んでいる。ラチェット車４１は、回転軸筒１９の第２の嵌合部２２に同軸状に固定されて、筒部１０の内側に位置している。
【００４０】
詳しく述べると、図３に示すように、回転軸筒１９は、第２の嵌合部２２の外周面上に位置する二面幅部４４を有している。二面幅部４４は、ラチェット車４１の中央部に位置する嵌合孔４５に嵌合している。この嵌合により、ラチェット車４１が回転軸筒１９に追従して回転するとともに、ラチェット車４１の嵌合孔４５の開口縁部が回転軸筒１９の上の第２の段差２５に押し付けられて、回転軸筒１９に対するラチェット車４１の位置決めがなされている。ラチェット車４１の係合歯４３は、筒部１０の内側においてスリット１３と向かい合っている。
【００４１】
一方、上記ストッパー爪４２は、係合部材の一例であり、リール本体２の筒部１０に支持されるとともに、ロータ２６により覆われている。図３に示すように、ストッパー爪４２は、ラチェット車４１の係合歯４３に引っ掛かる爪先４７と、爪先４７の反対側に位置するカム受け４８と、爪先４７とカム受け４８との間に位置するボス部４９とを一体に有している。
【００４２】
ストッパー爪４２のボス部４９は、筒部１０の軸受部１４ａ，１４ｂの間に介在されるとともに、これら軸受部１４ａ，１４ｂに軸部材としてのねじ５０を介して支持されている。ボス部４９は、ねじ５０が通る挿通孔５１を有し、この挿通孔５１の内側にカラー５２が取り付けられている。カラー５２は、軸受部１４ａと軸受部１４ｂとの間に介在されている。
【００４３】
ねじ５０は、リール本体２の前方から軸受部１４ｂのねじ挿通孔１７およびカラー５２を貫通するとともに、軸受部１４ａのねじ孔１６にねじ込まれている。このため、ねじ５０は、回転軸筒１９と平行に筒部１０の軸方向に延びて、軸受部１４ａ，１４ｂの間に跨っている。
【００４４】
ストッパー爪４２は、ねじ５０を支点としてラチェット車４１に噛み合う係合位置と、ラチェット車４１から離脱する係合解除位置との間で回動可能となっている。このストッパー爪４２の回動方向は、回転軸筒１９や筒部１０と直交している。さらに、ストッパー爪４２は、ねじりコイルばね５３を介して常時係合位置に向けて付勢されている。
【００４５】
図３は、ストッパー爪４２が係合位置に回動された状態を開示している。係合位置では、ストッパー爪４２の爪先４７がスリット１３を通じて筒部１０の内側に入り込むとともに、ラチェット車４１の一つの係合歯４３と噛み合っている。この噛み合いにより、ロータ２６の逆回転が阻止されている。
【００４６】
図５は、ストッパー爪４２が係合解除位置に回動された状態を開示している。係合解除位置では、ストッパー爪４２の爪先４７がラチェット車４１の係合歯４３から離脱している。そのため、ラチェット車４１に直結されたロータ２６は、釣糸を巻き取る方向および釣糸を巻き取る方向とは逆方向のいずれの方向にも自由に回転し得る状態に保持される。
【００４７】
さらに、係合解除位置では、ストッパー爪４２の爪先４７が丁度スリット１３の内側に位置している。このことから、スリット１３は、ストッパー爪４２の回動を許容するような形状に切り欠かれている。
【００４８】
図１に示すように、ストッパー機構４０は、ストッパー爪４２を係合位置又は係合解除位置に切り換える操作軸５５を備えている。操作軸５５は、リール本体２に回動可能に支持されて、ギヤボックス７の上部をリール本体２の前後方向に貫通している。操作軸５５の前端は、リール本体２の前壁８を貫通して筒部１０とロータ２６との間の空間に導かれている。操作軸５５の前端に円柱状のストッパーカム５６が形成されている。ストッパーカム５６は、ストッパー爪４２のカム受け４８に対応する位置に切り欠き５７を有している。
【００４９】
操作軸５５の後端は、リール本体２の後方に突出している。操作軸５５の後端に操作レバー５８が取り付けられている。操作レバー５８は、ストッパーカム５６の切り欠き５７がストッパー爪４２のカム受け４８と向かい合う第１の操作位置（図３に示す）と、ストッパーカム５６の外周面がストッパー爪４２のカム受け４８に接する第２の操作位置（図５に示す）との間で回動可能となっている。
【００５０】
操作レバー５８を第１の操作位置にセットすると、図３に示すように、ストッパーカム５６の切り欠き５７にストッパー爪４２のカム受け４８が入り込む。これにより、ストッパー爪４２がねじりコイルばね５３の付勢力を受けて係合位置に回動する。
【００５１】
操作レバー５８を第２の操作位置にセットすると、ストッパーカム５６が略９０°の角度範囲に亘って回動し、ストッパーカム５６の外周面がストッパー爪４２のカム受け４８に接触する。これにより、カム受け４８がねじりコイルばね５３の付勢力に抗して押し下げられ、ストッパー爪４２が係合位置から係合解除位置に向けて回動する。
【００５２】
図１ないし図３に示すように、筒部１０のボス部１５にリール本体２の前方からねじ６０がねじ込まれている。ねじ６０は、円盤状の頭部６０ａを有している。頭部６０ａの外周縁部は、ボス部１５の外側に張り出すとともに、この外周縁部の一部がボール軸受２０の外輪２０ｂに引っ掛かっている。
【００５３】
同様に、ストッパー爪４２を筒部１０に支持するねじ５０は、円盤状の頭部５０ａを有している。頭部５０ａの外周縁部は、軸受部１４ｂの外側に張り出すとともに、この外周縁部の一部がボール軸受２０の外輪２０ｂに引っ掛かっている。
【００５４】
そのため、ねじ５０，６０の頭部５０ａ，６０ａは、ボール軸受２０の外輪２０ｂを筒部１０の軸受支持部１３との間で挟み込んで保持している。
【００５５】
このような構成によると、釣糸を巻き取るロータ２６は、ストッパー爪４２を支持する筒部１０を外側から覆ってはいるものの、このロータ２６の後端とリール本体２の前壁８との間に僅かな隙間２９が存在する。
【００５６】
このため、実際に釣りをしている時に、例えば水分や埃等の異物が隙間２９を通じてロータ２６と筒部１０との間に入り込むのを避けられない。この異物がギヤボックス７の内部に侵入すると、例えばオシレート機構３８の作動不良を招く原因となることがあり得る。
【００５７】
上記実施の形態に係るスピニングリール１では、ロータ２６の逆転を防止するストッパー爪４２は、筒部１０と直交する方向に回動可能に筒部１０に支持されている。これにより、ストッパー爪４２の回動を許容するスリット１３は、筒部１０の周方向に沿うように形成すればよく、このスリット１３がギヤボックス７に直接開口することはない。
【００５８】
しかも、スリット１３は、筒部１０の軸方向に沿う中間部に位置するので、スリット１３がギヤボックス７の前端を規定するリール本体２の前壁８から遠ざかる。
【００５９】
この結果、隙間２９を通じて筒部１０とロータ２６との間に入り込んだ水分等の異物がスリット１３に導かれるようなことがあっても、この異物はスリット１３から筒部１０の内側に到達するに止まる。よって、異物がギヤボックス７の内部に侵入し難くなり、ギヤボックス７の防水性を高めることができる。
【００６０】
加えて、上記実施の形態によれば、リール本体２の前壁８から筒部１０に至る広い範囲に大きな孔が開くことはないので、例えば釣糸を強い力で巻き取る時や、スピニングリール１を釣場に落下させた時に大きな負荷や衝撃が加わり易いリール本体２の前端部回りの強度を十分に確保できる。この結果、リール本体２の前端部に大きな負荷や衝撃が加わっても、これら負荷や衝撃に充分に対抗することができ、リール本体２の変形や破損を未然に防止することができる。
【００６１】
本発明は上記実施の形態に特定されるものではなく、発明の主旨を逸脱しない範囲内で種々変形して実施可能である。
【００６２】
上記実施の形態では、ストッパー爪を係合位置と係合解除位置との間で回動させる操作軸をギヤボックスの上部に配置したが、本発明はこれに限らない。例えば、操作軸をギヤボックスの下部に配置し、この操作軸の後端に固定される操作レバーをリール本体の脚部とは反対側の後端下部に配置してもよい。
【００６３】
この構成によれば、釣竿のリールシートと隣り合うリール本体の後端上部に操作レバーが突出することはなく、リール本体の上部がすっきりとした形状となる。そのため、実際に釣りをする際に、リール本体に釣糸が絡み付くのを防止できる。
【図面の簡単な説明】
【００６４】
【図１】本発明の実施の形態に係るスピニングリールの断面図。
【図２】本発明の実施の形態において、筒部に形成したスリットとストッパー爪との位置関係を示すリール本体の斜視図。
【図３】本発明の実施の形態において、ストッパー爪がラチェット車に噛み合う係合位置に回動された状態を示すスピニングリールの断面図。
【図４】本発明の実施の形態において、ラチェット車とストッパー爪との位置関係を示すスピニングリールの断面図。
【図５】本発明の実施の形態において、ストッパー爪がラチェット車から離脱する係合解除位置に回動された状態を示すスピニングリールの断面図。
【符号の説明】
【００６５】
２…リール本体、７…ギヤボックス、８…前壁、１０…筒部、１３…開口部（スリット）、１９…回転軸筒、２０…軸受（ボール軸受）、２６…ロータ、４１…逆転防止体（ラチェット車）、４２…係合部材（ストッパー爪）。
【図１】
2008109884.tif 000003
【図２】
2008109884.tif 000004
【図３】
2008109884.tif 000005
【図４】
2008109884.tif 000006
【図５】
2008109884.tif 000007